(57)【要約】【課題】風呂アダプタに汚れが付着している状態を適切に検出すること。【解決手段】浴槽Ｙと追焚用加熱部２８とを接続する追焚用循環路３１，３２と、その追焚用循環路３１，３２を通して浴槽Ｙ内の湯水を循環させる循環ポンプ３３とが備えられ、追焚用循環路３１，３２は、浴槽Ｙに備えられる風呂アダプタ３０を介して浴槽Ｙに接続され、追焚用循環路３１，３２にて循環される湯水の循環量の低下に関する循環量情報を検出する循環量情報検出部３ａと、その循環量情報検出部３ａにて検出される循環量情報に基づいて、風呂アダプタ３０に汚れが付着しているか否かを判定する汚れ判定部３ｂとが備えられている。【選択図】図１
2018169069.tif 000002
【特許請求の範囲】
【請求項１】
浴槽と追焚用加熱部とを接続する追焚用循環路と、その追焚用循環路を通して浴槽内の湯水を循環させる循環ポンプとが備えられ、
前記追焚用循環路は、前記浴槽に備えられる風呂アダプタを介して前記浴槽に接続され、
前記追焚用循環路にて循環される湯水の循環量の低下に関する循環量情報を検出する循環量情報検出部と、その循環量情報検出部にて検出される循環量情報に基づいて、前記風呂アダプタに汚れが付着しているか否かを判定する汚れ判定部とが備えられている風呂装置。
【請求項２】
前記循環量情報検出部は、前記循環ポンプの作動状態から前記循環量情報を検出するように構成されている請求項１に記載の風呂装置。
【請求項３】
前記汚れ判定部は、前記循環量情報検出部にて前記循環ポンプの作動状態から検出された前記循環量情報に基づいて、前記風呂アダプタに対する汚れの付着度合いを判定するように構成されている請求項２に記載の風呂装置。
【請求項４】
前記汚れ判定部にて前記風呂アダプタに汚れが付着していると判定した場合に、前記風呂アダプタの清掃を促す報知を行う報知制御部が備えられている請求項１〜３の何れか１項に記載の風呂装置。
【発明の詳細な説明】
【技術分野】
【０００１】
本発明は、浴槽内の湯水を追焚き可能な風呂装置に関する。
【背景技術】
【０００２】
上記のような風呂装置は、浴槽と追焚用加熱部とを接続する追焚用循環路と、その追焚用循環路を通して浴槽内の湯水を循環させる循環ポンプとが備えられ、追焚用循環路は、浴槽に備えられた風呂アダプタを介して浴槽に接続されている。風呂装置は、追焚用加熱部にて浴槽内の湯水を加熱する状態で追焚用循環路にて浴槽と追焚用加熱部との間で浴槽内の湯水を循環させることで、浴槽内の湯水の追焚きを行っている（例えば、特許文献１参照。）。
【０００３】
上記特許文献１に記載の風呂装置では、追焚用循環路の途中部にろ過槽が備えられ、浴槽内の湯水をろ過槽を通過させる状態で追焚用循環路にて浴槽内の湯水を循環させて、浴槽内の湯水の浄化を行っている。また、特許文献１に記載の風呂装置では、給湯用加熱部にて加熱された温水を追焚用循環路にてろ過槽に対して逆流させ、その逆流させた温水を浴槽に排水する逆洗浄を行っている。
【０００４】
このように、逆洗浄を行うことで、ろ過槽の汚れを含む湯水が風呂アダプタに供給されて、風呂アダプタに汚れが付着していくことから、逆洗浄を行った回数が設定回数に達すると、ユーザに対して風呂アダプタの清掃を促す表示をリモコン等にて行っている。
【先行技術文献】
【特許文献】
【０００５】
【特許文献１】特開２０００−１７９９３６号公報
【発明の概要】
【発明が解決しようとする課題】
【０００６】
上記特許文献１に記載の風呂装置では、逆洗浄を行った回数が設定回数に達すると、風呂アダプタに汚れが付着しているとして、ユーザに対して風呂アダプタの清掃を促す表示をリモコン等にて行っている。しかしながら、逆洗浄を行うことだけで、風呂アダプタに汚れが付着するのではなく、他の要因によっても風呂アダプタに汚れが付着することがある。よって、逆洗浄を行った回数が設定回数に達する前に、風呂アダプタに汚れが付着してしまうこともある。また、逆に、逆洗浄を行った回数が設定回数に達しても、風呂アダプタに汚れが付着していない場合もある。
【０００７】
このように、逆洗浄を行う回数が設定回数になったからといって、風呂アダプタに汚れが付着している状態であるか否かは分からず、適切なタイミングにて風呂アダプタの清掃を行うことが行い難いものとなっていた。
【０００８】
この実情に鑑み、本発明の主たる課題は、風呂アダプタに汚れが付着している状態を適切に検出することができる風呂装置を提供する点にある。
【課題を解決するための手段】
【０００９】
本発明の第１特徴構成は、浴槽と追焚用加熱部とを接続する追焚用循環路と、その追焚用循環路を通して浴槽内の湯水を循環させる循環ポンプとが備えられ、前記追焚用循環路は、前記浴槽に備えられる風呂アダプタを介して前記浴槽に接続され、前記追焚用循環路にて循環される湯水の循環量の低下に関する循環量情報を検出する循環量情報検出部と、その循環量情報検出部にて検出される循環量情報に基づいて、前記風呂アダプタに汚れが付着しているか否かを判定する汚れ判定部とが備えられている点にある。
【００１０】
本構成によれば、循環ポンプを作動させることにより、追焚用循環路を通して浴槽と追焚用加熱部との間で浴槽内の湯水を循環させて、浴槽内の湯水の追焚きを行うことができる。循環ポンプとしては、例えば、通常、供給電圧を所定の一定電圧とするＤＣポンプを用いられていることから、風呂アダプタに汚れが付着すると、それが抵抗となって、追焚用循環路にて循環される湯水の循環量が低下することになる。そこで、循環量情報検出部が、追焚用循環路にて循環される湯水の循環量の低下に関する循環量情報を検出すると、汚れ判定部は、風呂アダプタに汚れが付着していると判定することができる。
【００１１】
このように、浴槽内の湯水を追焚きするための構成を利用しながら、風呂アダプタに汚れが付着することに起因する湯水の循環量の低下を検出して、風呂アダプタに汚れが付着している状態を適切に検出することができる。
【００１２】
本発明の第２特徴構成は、前記循環量情報検出部は、前記循環ポンプの作動状態から前記循環量情報を検出するように構成されている点にある。
【００１３】
風呂アダプタに汚れが付着すると、それが抵抗となるので、循環ポンプの負荷が増大して循環ポンプの作動状態が変化することになる。そこで、本構成によれば、循環量情報検出部が、循環ポンプの作動状態から循環量情報を検出することで、風呂アダプタに汚れが付着することに起因する湯水の循環量が低下した状態を的確に検出することができ、風呂アダプタに対する汚れの付着状態を適切に判定することができる。
【００１４】
本発明の第３特徴構成は、前記汚れ判定部は、前記循環量情報検出部にて前記循環ポンプの作動状態から検出された前記循環量情報に基づいて、前記風呂アダプタに対する汚れの付着度合いを判定するように構成されている点にある。
【００１５】
風呂アダプタに対する汚れの付着度合いに応じて、循環ポンプの負荷が変化することから、風呂アダプタに対する汚れの付着度合いに応じて、循環ポンプの作動状態が変化する。例えば、循環ポンプを、供給電圧を所定の一定電圧とするＤＣポンプとすると、風呂アダプタに対する汚れの付着度合いに応じて、循環ポンプの電流値が変化する。そこで、本構成によれば、循環量情報検出部が、風呂アダプタに対する汚れの付着度合いに応じて変化する循環ポンプの作動状態から循環量情報を検出していることから、汚れ判定部は、風呂アダプタに汚れが付着している状態を判定するだけでなく、風呂アダプタに対する汚れの付着度合いも判定することができる。
【００１６】
本発明の第４特徴構成は、前記汚れ判定部にて前記風呂アダプタに汚れが付着していると判定した場合に、前記風呂アダプタの清掃を促す報知を行う報知制御部が備えられている点にある。
【００１７】
本構成によれば、ユーザは、報知制御部の報知によって風呂アダプタを清掃すべきタイミングであることを容易に把握することができるので、風呂アダプタを清掃することで、風呂アダプタの詰まり等の不都合が生じるのを防止することができる。
【図面の簡単な説明】
【００１８】
【図１】風呂装置の概略構成を示す図
【図２】追焚運転の動作を示すフローチャート
【発明を実施するための形態】
【００１９】
本発明に係る風呂装置の実施形態を図面に基づいて説明する。
この風呂装置は、図１に示すように、温度調整した湯水を湯水消費箇所（例えば、浴槽Ｙ）に供給可能な給湯部Ｈと、その給湯部Ｈの運転を制御する運転制御部３と、その運転制御部３に各種制御指令を指令するメインリモコンＲ１及び風呂リモコンＲ２とを備えている。メインリモコンＲ１は、例えば、台所や洗面所等に配置され、風呂リモコンＲ２は、浴槽Ｙが設置された浴室Ｄの内部に配置されている。
【００２０】
給湯部Ｈは、一般家庭用の水道管に接続された給水路６からの水を加熱して湯水消費箇所に供給する給湯用加熱部１と、加熱した温水を熱消費端末Ｔに循環供給する温水循環用加熱部２とを備えている。給湯用加熱部１は、給水路６からの水をガス燃焼式の給湯用バーナ５ａによって加熱する給湯用熱交換器４ａを備え、給湯用熱交換器４ａにて加熱された湯水を給湯路７に供給するように構成されている。温水循環用加熱部２は、熱消費端末Ｔとの間で循環される温水をガス燃焼式の加熱用バーナ５ｂによって加熱する循環用熱交換器４ｂを備えている。
【００２１】
給湯用加熱部１にて加熱された湯水が供給される湯水消費箇所としては、台所等に設置した一般給湯用の給湯栓８、及び、浴室Ｄの浴槽Ｙとしている。熱消費端末Ｔは、例えば、浴室Ｄの天井部に設ける浴室暖房乾燥機、浴室Ｄの床部等に設置する床暖房装置等としている。
【００２２】
給湯用加熱部１の給湯用バーナ５ａと温水循環用加熱部２の加熱用バーナ５ｂには、一般家庭用の燃料ガスを供給するガス供給路９が接続され、そのガス供給路９には、燃料ガス供給量を調整する電磁式のガス比例弁１０、燃料ガスの供給を断続する断続弁１１が設けられている。また、給湯用加熱部１及び温水循環用加熱部２には、給湯用バーナ５ａや加熱用バーナ５ｂに燃焼用空気を供給する燃焼用ファン１２が設けられている。ちなみに、図示は省略するが、給湯用バーナ５ａや加熱用バーナ５ｂの近くには、点火用のイグナイタ及び着火を検出するフレームロッドが設けられている。
【００２３】
給湯用加熱部１について説明を加える。
給水路６には、給水温度を検出する給水サ−ミスタ１３と給水量を検出する水量センサ１４とが設けられ、給水路６における給水サ−ミスタ１３及び水量センサ１４よりも下流側の箇所が、給湯用熱交換器４ａを迂回する給水バイパス路１５により、給湯路７に接続されている。
【００２４】
給湯路７と給水バイパス路１５との接続箇所には、給湯用熱交換器４ａからの湯量と給水バイパス路１５からの水量との混合比を調整するミキシング弁１７が設けられている。給湯路７における給水バイパス路１５の接続箇所よりも湯水の通流方向の上流側には、給湯用熱交換器４ａから送出される湯水の温度を検出する出湯サーミスタ１６が設けられている。給湯路７における給水バイパス路１５の接続箇所よりも湯水の通流方向の下流側には、上流側から順に、ミキシング弁１７にて混合された後の湯水の温度を検出する給湯サーミスタ１８、湯水の量を調整する水比例弁１９、一般給湯の割込みを検出する割込み検出用水量センサ２０が設けられている。
【００２５】
給湯用加熱部１は、給湯用熱交換器４ａにて加熱された湯水と給水バイパス路１５からの水とを混合させた湯水を給湯路７に供給しており、給湯用バーナ５ａへの燃料供給量、及び、ミキシング弁１７の開度を調節することで、所望温度の湯水を給湯路７に供給するように構成されている。
【００２６】
温水循環用加熱部２について説明を加える。
熱消費端末Ｔにて熱消費された温水の戻り側と循環用熱交換器４ｂの温水入口側とが温水循環用戻路２１にて接続され、循環用熱交換器４ｂの温水出口側と熱消費端末Ｔに温水を供給する側とが温水循環用往路２２にて接続されている。温水循環用戻路２１の途中部には、膨張タンク２３が備えられ、温水循環用戻路２１における膨張タンク２３よりも温水の通流方向の下流側には、温水循環用ポンプ２４が備えられている。温水循環用往路２２には、循環用熱交換器４ｂにて加熱されたのちの温水の温度を検出する循環温水サーミスタ２５、及び、熱消費端末Ｔへの温水の供給を断続する端末用熱動弁２６が設けられている。
【００２７】
温水循環用加熱部２は、温水循環用ポンプ２４を作動させることで、温水循環用往路２２及び温水循環用戻路２１を通して、循環用熱交換器４ｂと熱消費端末Ｔとに亘って温水を循環させ、循環用熱交換器４ｂにて加熱された温水を熱消費端末Ｔに循環供給させるように構成されている。
【００２８】
浴槽Ｙ内の湯水を追焚きするための構成について説明する。
浴槽Ｙと追焚用熱交換器２８（追焚用加熱部に相当する）とを接続する浴槽用往路３１及び浴槽用戻路３２と、その浴槽用往路３１及び浴槽用戻路３２を通して浴槽Ｙ内の湯水を循環させる追焚用循環ポンプ３３とが備えられている。浴槽用往路３１及び浴槽用戻路３２は、浴槽Ｙの側壁部に配置された風呂アダプタ３０を介して浴槽Ｙに接続されている。
【００２９】
追焚用熱交換器２８の湯水出口側と風呂アダプタ３０とが、浴槽用往路３１にて接続され、風呂アダプタ３０と追焚用熱交換器２８の湯水入口側とが、浴槽用戻路３２にて接続されている。浴槽用戻路３２に、浴槽Ｙの湯水を吸引して追焚用熱交換器２８に送出する追焚用循環ポンプ３３が設けられている。
【００３０】
追焚用熱交換器２８に循環用熱交換器４ｂにて加熱された温水を供給するために、温水循環用往路２２における循環温水サーミスタ２５よりも下流側箇所と温水循環用戻路２１における膨張タンク２３よりも上流側箇所とが、熱消費端末Ｔを迂回させて温水を循環させる温水循環バイパス路２７にて接続されている。その温水循環バイパス路２７には、追焚用熱交換器２８と追焚用熱動弁２９とが設けられている。
【００３１】
浴槽Ｙ内の湯水の追焚きを行う場合には、端末用熱動弁２６を閉弁し且つ追焚用熱動弁２９を開弁した状態で温水循環用ポンプ２４を作動させることにより、循環用熱交換器４ｂにて加熱された温水が、熱消費端末Ｔを迂回した状態で追焚用熱交換器２８に循環供給される。また、追焚用循環ポンプ３３を作動させることにより、浴槽Ｙ内に貯留された湯水を、浴槽用往路３１及び浴槽用戻路３２を通して追焚用熱交換器２８に循環供給している。これにより、追焚用熱交換器２８では、循環用熱交換器４ｂにて加熱された温水にて浴槽Ｙ内の湯水を加熱することができ、その加熱された浴槽Ｙ内の湯水を浴槽Ｙに戻すことで、浴槽Ｙ内の湯水の追焚きを行うことができる。
【００３２】
浴槽用戻路３２には、湯水の通流方向の上流側から順に、浴槽用戻路３２の内部の湯水の圧力を検出することによって浴槽内水位を検出する水位センサ３４、浴槽Ｙから戻ってくる浴槽水の温度を検出する浴槽戻温サーミスタ３５、浴槽用戻路３２を開閉する電磁式の風呂２方弁３６、追焚用循環ポンプ３３、水流スイッチ３７が設けられている。浴槽用往路３１には、浴槽Ｙに供給される湯水の温度を検出する浴槽往温サーミスタ３８が設けられている。
【００３３】
浴槽Ｙに湯張りを行うための構成について説明する。
給湯用加熱部１にて温度調整された湯水を浴槽Ｙに供給するために、湯張路４１が備えられ、その湯張路４１が、浴槽用戻路３２に接続されている。
【００３４】
給湯路７における水比例弁１９と割込み検出用水量センサ２０との間の箇所から、給湯路７からの湯水を浴槽Ｙに供給するための湯張路４１が分岐接続されている。湯張路４１は、浴槽用戻路３２における追焚用循環ポンプ３３と水流スイッチ３７との間に相当する箇所に接続されている。湯張路４１には、湯水の通流方向の上流側から順に、湯張路４１を開閉する湯張電磁弁４２、湯張逆止弁４３が設けられている。
【００３５】
浴槽Ｙに湯張りを行う場合には、湯張電磁弁４２を開弁すると、給湯用加熱部１にて加熱された湯水が給湯路７から湯張路４１に供給され、湯張路４１を通流した湯水が浴槽用戻路３２に供給される。浴槽用戻路３２に供給された湯水は、浴槽Ｙが存在する側と追焚用熱交換器２８が存在する側の両側に向けて分流する形態で通流する。これにより、湯張路４１を通して供給される湯水が、浴槽用往路３１及び浴槽用戻路３２の両方を通して浴槽Ｙに供給され、浴槽Ｙの湯張りを行うことができる。
【００３６】
メインリモコンＲ１及び風呂リモコンＲ２には、図示は省略するが、各種のスイッチが備えられ、ユーザが各種のスイッチを操作することで、運転制御部３に対して各種の指令を行うことができる。また、メインリモコンＲ１及び風呂リモコンＲ２には、運転状態であることを知らせるランプ部や、給湯温度等を表示させる表示部等が備えられ、更に、音声によっても各種の情報をユーザに報知できるようになっている。
【００３７】
運転制御部３は、メインリモコンＲ１や風呂リモコンＲ２の運転スイッチがＯＮ操作されると運転状態となり、給湯栓８が開操作されると、一般給湯運転を実行する。運転制御部３は、メインリモコンＲ１や風呂リモコンＲ２により自動湯張運転が指令されると、浴槽Ｙ内に湯水を供給して目標湯張温度で目標水位の湯張りを行う自動湯張運転を実行するように構成されている。また、運転制御部３は、自動湯張運転を終了した後に、キープ運転モード中であるとして、設定された追焚運転周期毎に、浴槽Ｙ内の湯水が設定湯張温度になるように、浴槽Ｙ内の湯水を追焚きする保温運転を実行するように構成されている。
【００３８】
運転制御部３は、キープ運転モード中において、追焚運転の開始が指令された場合や、自動湯張運転の終了後のキープ運転モードが停止された状態において、追焚運転の開始が指令された場合には、追焚運転を実行するように構成されている。運転制御部３は、端末加熱運転の開始が指令されると、端末加熱運転を実行するように構成さている。
【００３９】
以下、一般給湯運転、自動湯張運転、キープ運転、追焚運転、及び、端末加熱運転の各運転について説明を加える。
【００４０】
（一般給湯運転）
運転制御部３は、給湯栓８が開かれて水量センサ１４による検出水量が所定量以上になると、一般給湯運転を実行する。一般給湯運転では、運転制御部３が、給湯用加熱部１における燃焼用ファン１２を駆動した後、断続弁１１を開弁してイグナイタにより給湯用バーナ５ａに点火して給湯用バーナ５ａの燃焼を開始する。また、運転制御部３は、設定された目標給湯温度、水量センサ１４の検出水量、給水サ−ミスタ１３の検出水温及び給湯サーミスタ１８の検出温度等に基づいて、給湯サーミスタ１８の検出温度が設定された目標給湯温度になるように、ガス比例弁１０の開度及びミキシング弁１７の開度を調節する。これにより、給湯栓８に目標給湯温度の湯水が供給される。そして、運転制御部３は、水量センサ１４により通水が検出されなくなると、断続弁１１を閉弁して給湯用バーナ５ａの燃焼を停止し、燃焼用ファン１２も停止して一般給湯運転を終了する。
【００４１】
（端末加熱運転）
端末加熱運転では、運転制御部３が、端末用熱動弁２６を開弁し且つ追焚用熱動弁２９を閉弁した状態で温水循環用ポンプ２４を作動させて、温水循環用往路２２及び温水循環用戻路２１を通して温水を循環させる。そして、運転制御部３は、温水循環用加熱部２における燃焼用ファン１２を駆動した後、断続弁１１を開弁してイグナイタにより加熱用バーナ５ｂに点火して加熱用バーナ５ｂの燃焼を開始し、循環温水サーミスタ２５の検出温度が目標循環温度になるように、ガス比例弁１０の開度を調節する。これにより、目標循環温度の温水が熱消費端末Ｔに供給される。
【００４２】
（自動湯張運転）
自動湯張運転では、運転制御部３が、まず、浴槽Ｙに温度調整した湯水を供給する注湯処理を行い、水位センサ３４の検出水位が目標水位以上になると、次に、浴槽Ｙ内の湯水の温度が目標湯張温度になるように追焚きする追焚処理を実行する。
【００４３】
運転制御部３は、注湯処理として、湯張電磁弁４２を開弁し、且つ、上述の一般給湯運転と同様に給湯用バーナ５ａを燃焼させ、設定された目標湯張温度、水量センサ１４の検出水量、給水サ−ミスタ１３の検出水温及び給湯サーミスタ１８の検出温度等に基づいて、給湯サーミスタ１８の検出温度が目標湯張温度になるように、ガス比例弁１０の開度及びミキシング弁１７の開度を調節する。これにより、目標湯張温度の湯水が浴槽Ｙに供給される。そして、運転制御部３は、水位センサ３４の検出水位が目標水位以上になると、湯張電磁弁４２を閉弁し、且つ、給湯用バーナ５ａの燃焼を停止して注湯処理を終了する。
【００４４】
運転制御部３は、注湯処理を終了したときに追焚用循環ポンプ３３を作動させて、浴槽戻温サーミスタ３５の検出温度が目標湯張温度未満の場合は、追焚処理を行う。追焚処理では、運転制御部３が、端末用熱動弁２６を閉弁し且つ追焚用熱動弁２９を開弁した状態で温水循環用ポンプ２４及び追焚用循環ポンプ３３を作動させて、浴槽用戻路３２及び浴槽用往路３１を通して浴槽Ｙと追焚用熱交換器２８との間で浴槽Ｙ内の湯水を循環させるとともに、温水循環用往路２２、温水循環バイパス路２７及び温水循環用戻路２１を通して循環用熱交換器４ｂと追焚用熱交換器２８との間で温水を循環させる。また、運転制御部３は、温水循環用加熱部２における燃焼用ファン１２を駆動した後、断続弁１１を開弁してイグナイタにより加熱用バーナ５ｂを点火して加熱用バーナ５ｂの燃焼を開始する。これにより、追焚用熱交換器２８にて加熱された浴槽Ｙ内の湯水が浴槽Ｙに戻されて、浴槽Ｙの湯水を加熱する。
【００４５】
そして、運転制御部３は、浴槽戻温サーミスタ３５の検出温度が目標湯張温度以上になると、断続弁１１を閉弁させて加熱用バーナ５ｂの燃焼を停止させ、燃焼用ファン１２を停止させて追焚処理を終了して、自動湯張運転を終了する。
【００４６】
（キープ運転）
運転制御部３は、自動湯張運転を終了した後のキープ運転モード中において、キープ運転を実行する。キープ運転では、運転制御部３が、追焚運転周期が経過する毎に、追焚用循環ポンプ３３を作動させながら、浴槽Ｙ内の湯水の温度及び浴槽Ｙ内の湯水の水位を検出する。そして、浴槽Ｙ内の湯水の水位が目標水位よりも低いときは、水位センサ３４の検出水位が目標水位以上になるまで、上述の注湯処理を行い、水位センサ３４の検出水位が目標水位以上になったときに、浴槽戻温サーミスタ３５の検出温度が目標湯張温度よりも低い場合は、浴槽戻温サーミスタ３５の検出温度が目標湯張温度以上になるまで追焚処理を実行する。
【００４７】
また、追焚運転周期が経過する毎に、浴槽Ｙの湯水の温度及び浴槽Ｙの湯水の水位を検出した結果、浴槽Ｙの湯水の水位が目標水位以上で且つ浴槽Ｙの湯水の温度が目標湯張温度よりも低いときは、運転制御部３が、浴槽戻温サーミスタ３５の検出温度が目標湯張温度以上になるまで追焚処理を実行する。
【００４８】
（追焚運転）
追焚運転では、運転制御部３が、まず、追焚用循環ポンプ３３を作動させ、追焚用循環ポンプ３３を作動させてから設定時間が経過すると、浴槽戻温サーミスタ３５の検出温度を読み込む。
【００４９】
浴槽戻温サーミスタ３５の検出温度が目標湯張温度よりも低い場合は、上述した追焚処理と同様に、運転制御部３が、端末用熱動弁２６を閉弁し且つ追焚用熱動弁２９を開弁した状態で温水循環用ポンプ２４及び追焚用循環ポンプ３３を作動させて、浴槽用戻路３２及び浴槽用往路３１を通して浴槽Ｙと追焚用熱交換器２８との間で浴槽Ｙ内の湯水を循環させるとともに、温水循環用往路２２、温水循環バイパス路２７及び温水循環用戻路２１を通して循環用熱交換器４ｂと追焚用熱交換器２８との間で温水を循環させる。運転制御部３は、温水循環用加熱部２における燃焼用ファン１２を駆動した後、断続弁１１を開弁してイグナイタにより加熱用バーナ５ｂを点火して加熱用バーナ５ｂの燃焼を開始する。これにより、追焚用熱交換器２８にて加熱された浴槽Ｙ内の湯水が浴槽Ｙに戻されて、浴槽Ｙの湯水を加熱する。
【００５０】
そして、浴槽戻温サーミスタ３５の検出温度が目標湯張温度以上になると、運転制御部３は、その時点から設定追加時間の間、浴槽Ｙ内の湯水の加熱を継続した後、断続弁１１を閉弁させて加熱用バーナ５ｂの燃焼を停止させ、燃焼用ファン１２を停止させるとともに、温水循環用ポンプ２４及び追焚用循環ポンプ３３を作動停止させて追焚運転を終了する。
【００５１】
ここで、風呂アダプタ３０に汚れが付着すると、風呂アダプタ３０に詰まり等が生じてしまい様々な問題が発生する可能性がある。そこで、風呂アダプタ３０に汚れが付着している状態であるか否かを判定し、風呂アダプタ３０に汚れが付着している状態であると、ユーザに風呂アダプタ３０の清掃を促すようにしている。
【００５２】
運転制御部３には、浴槽用往路３１及び浴槽用戻路３２（追焚用循環路に相当する）にて循環される湯水の循環量の低下に関する循環量情報を検出する循環量情報検出部３ａと、その循環量情報検出部３ａにて検出される循環量情報に基づいて、風呂アダプタ３０に汚れが付着しているか否かを判定する汚れ判定部３ｂとが備えられている。また、運転制御部３には、汚れ判定部３ｂにて風呂アダプタ３０に汚れが付着していると判定した場合に、風呂アダプタ３０の清掃をユーザに促す報知を行う報知制御部３ｃも備えられている。
【００５３】
上述の如く、浴槽用往路３１及び浴槽用戻路３２にて浴槽Ｙ内の湯水を循環させるために、追焚用循環ポンプ３３（循環ポンプに相当する）が備えられている。追焚用循環ポンプ３３は、例えば、供給電圧を所定の一定電圧とするＤＣポンプとなっており、追焚用循環ポンプ３３を作動させることで、浴槽用往路３１及び浴槽用戻路３２にて循環される浴槽Ｙ内の湯水の循環量が所定の一定量となる。このとき、風呂アダプタ３０に汚れが付着していると、それが抵抗となって、浴槽用往路３１及び浴槽用戻路３２にて循環される浴槽Ｙ内の湯水の循環量が低下することになる。
【００５４】
そこで、追焚用循環ポンプ３３を作動させる追焚運転中において、循環量情報検出部３ａが、浴槽用往路３１及び浴槽用戻路３２にて循環される湯水の循環量が低下したとの循環量情報を検出することで、汚れ判定部３ｂは、風呂アダプタ３０に汚れが付着していると判定するように構成されている。
【００５５】
循環量情報検出部３ａは、上述の追焚運転中における追焚用循環ポンプ３３の作動状態から循環量情報を検出するように構成されている。風呂アダプタ３０に汚れが付着していると、それが抵抗となるので、追焚用循環ポンプ３３の負荷が大きくなる。追焚用循環ポンプ３３は、供給電圧を所定の一定電圧とするＤＣポンプであるので、負荷が大きくなると、電流値が低下する。そこで、循環量情報検出部３ａは、追焚運転中における追焚用循環ポンプ３３の作動状態として、追焚用循環ポンプ３３の電流値を検出している。
【００５６】
これにより、汚れ判定部３ｂは、循環量情報検出部３ａにて検出される追焚用循環ポンプ３３の電流値が汚れ判定用設定値以下となると、風呂アダプタ３０に汚れが付着していると判定している。汚れ判定用設定値については、例えば、風呂アダプタ３０に汚れが付着していない状態での追焚用循環ポンプ３３の電流値を基準電流値として、その基準電流値よりも設定値だけ低い値を設定することができる。汚れ判定用設定値は、実験等により予め設定しておくことも可能であるが、実際に風呂装置の使用を開始したときの追焚用循環ポンプ３３の電流値に基づいて自動的に設定することも可能である。
【００５７】
上述の如く、汚れ判定部３ｂは、循環量情報検出部３ａにて検出される追焚用循環ポンプ３３の電流値に基づいて、風呂アダプタ３０に汚れが付着している汚れ付着状態であるか否かを判定しているが、風呂アダプタ３０に汚れがどの程度付着しているかの汚れ付着度合いをも示すように、汚れ付着状態を段階的に判定することができる。
【００５８】
風呂アダプタ３０に対する汚れの付着度合いに応じて、追焚用循環ポンプ３３の負荷が変化することから、風呂アダプタ３０に対する汚れの付着度合いに応じて、追焚用循環ポンプ３３の電流値が変化する。
【００５９】
そこで、例えば、汚れ判定部３ｂは、循環量情報検出部３ａにて検出される追焚用循環ポンプ３３の電流値が汚れ判定用最小設定値以下であると、風呂アダプタ３０に対する汚れの付着度合いが大きいとして判定することができる。汚れ判定部３ｂは、循環量情報検出部３ａにて検出される追焚用循環ポンプ３３の電流値が、汚れ判定用最小設定値よりも大きく、汚れ判定用中間設定値以下であると、風呂アダプタ３０に対する汚れの付着度合いが中程度として判定することができる。汚れ判定部３ｂは、循環量情報検出部３ａにて検出される追焚用循環ポンプ３３の電流値が、汚れ判定用中間値よりも大きく、汚れ判定用最大値以下であると、風呂アダプタ３０に対する汚れの付着度合いが小さいとして判定することができる。
【００６０】
このように、循環量情報検出部３ａが、風呂アダプタ３０に対する汚れの付着度合いに応じて変化する追焚用循環ポンプ３３の電流値を検出していることから、汚れ判定部３ｂは、単に、汚れ付着状態を判定するだけでなく、汚れ付着度合いも含めて汚れ付着状態を判定することもできる。
【００６１】
以下、図２のフローチャートに基づいて、追焚運転中における風呂アダプタ３０に汚れが付着しているか否かの判定について、説明を加える。
追焚運転では、まず、追焚用循環ポンプ３３を作動させた状態で、浴槽戻温サーミスタ３５の検出温度を読み込み、その浴槽戻温サーミスタ３５の検出温度が目標湯張温度よりも低い場合のみ、浴槽Ｙ内の湯水を加熱している。そこで、浴槽Ｙ内の湯水を加熱するものとして、それ以降の動作を図２のフローチャートに示している。
【００６２】
運転制御部３は、温水循環用ポンプ２４及び追焚用循環ポンプ３３を作動させて、浴槽用戻路３２及び浴槽用往路３１を通して浴槽Ｙと追焚用熱交換器２８との間で浴槽Ｙ内の湯水を循環させるとともに、温水循環用往路２２、温水循環バイパス路２７及び温水循環用戻路２１を通して循環用熱交換器４ｂと追焚用熱交換器２８との間で温水を循環させる（ステップ＃１）。そして、運転制御部３は、温水循環用加熱部２における燃焼用ファン１２を駆動した後、断続弁１１を開弁してイグナイタにより加熱用バーナ５ｂを点火して、加熱用バーナ５ｂの燃焼を開始する（ステップ＃２）。ちなみに、ステップ＃１のポンプ作動とステップ＃２の燃焼開始は略同時に開始される。
【００６３】
これにより、循環用熱交換器４ｂにて加熱された温水を追焚用熱交換器２８に循環供給させるとともに、浴槽Ｙ内の湯水も追焚用熱交換器２８に供給させ、追焚用熱交換器２８において循環用熱交換器４ｂにて加熱された温水により浴槽Ｙ内の湯水を加熱する。そして、追焚用熱交換器２８にて加熱された浴槽Ｙ内の湯水が浴槽用往路３１にて浴槽Ｙ内に戻されるので、浴槽Ｙ内の湯水が追焚用熱交換器２８との間で循環しながら加熱される。
【００６４】
循環量情報検出部３ａが、追焚用循環ポンプ３３の電流値をリアルタイムで検出しており、汚れ判定部３ｂが、循環量情報検出部３ａにて検出される追焚用循環ポンプ３３の電流値が汚れ判定用設定値以下となると、風呂アダプタ３０に汚れが付着している汚れ付着状態であると判定している（ステップ＃３のＹｅｓの場合）。これにより、報知制御部３ｃは、ユーザに風呂アダプタ３０の清掃を促す汚れ用報知処理を行う（ステップ＃４）。汚れ用報知処理としては、例えば、メインリモコンＲ１において、所定のランプ部を点灯させる、及び、音声により汚れ付着状態であることを伝達する等、各種の報知処理を適用可能である。
【００６５】
汚れ判定部３ｂは、浴槽Ｙ内の湯水を加熱している間、循環量情報検出部３ａにて検出される追焚用循環ポンプ３３の電流値に基づいて、汚れ付着状態であるか否かの判定を繰り返し行っている。そして、運転制御部３は、浴槽戻温サーミスタ３５の検出温度が目標湯張温度以上となると、加熱用バーナ５ｂの燃焼を停止し、温水循環用ポンプ２４及び追焚用循環ポンプ３３も作動停止させる（ステップ５のＹｅｓの場合、ステップ＃６、ステップ＃７）。
【００６６】
汚れ判定部３ｂによる風呂アダプタ３０に汚れが付着しているか否かの判定について、追焚運転中に行う場合を説明したが、追焚運転中だけに限らず、自動湯張運転における追焚処理中、及び、キープ運転における追焚処理中においても、汚れ判定部３ｂによる風呂アダプタ３０に汚れが付着しているか否かの判定を行うことができる。
【００６７】
〔別実施形態〕
（１）上記実施形態では、浴槽Ｙと追焚用熱交換器２８とを浴槽用往路３１及び浴槽用戻路３２にて接続し、追焚用熱交換器２８において、循環用熱交換器４ｂにて加熱された温水にて浴槽Ｙ内の湯水を加熱するようにしているが、例えば、浴槽用往路３１及び浴槽用戻路３２にて浴槽Ｙと循環用熱交換器４ｂとを接続し、循環用熱交換器４ｂにおいて浴槽Ｙ内の湯水を加熱して、循環用熱交換器４ｂを追焚用加熱部として構成することもできる。
この場合には、追焚用循環ポンプ３３を作動させることにより、浴槽Ｙ内に貯留された湯水を、浴槽用往路３１及び浴槽用戻路３２を通して循環用熱交換器４ｂに循環供給することができる。そして、加熱用バーナ５ｂの燃焼を開始することで、循環用熱交換器４ｂにて加熱した浴槽Ｙ内の湯水を浴槽Ｙに戻して、浴槽Ｙ内の湯水を加熱することができる。
そして、循環用熱交換器４ｂを追焚用加熱部として構成する場合には、追焚用熱交換器２８、温水循環用戻路２１、及び、温水循環用往路２２等を省略することができる。
【００６８】
（２）上記実施形態では、循環量情報検出部３ａが、循環量情報として、追焚用循環ポンプ３３の電流値を検出しているが、浴槽用往路３１及び浴槽用戻路３２にて循環される湯水の循環量の低下に関する情報であれば良く、各種の情報が適用可能である。例えば、浴槽用往路３１や浴槽用戻路３２の途中部に膨張タンクを備える場合には、その膨張タンクの水位を循環量情報として検出することもできる。また、浴槽用往路３１や浴槽用戻路３２に水量センサを設け、その水量センサにて検出される水量情報を循環量情報として検出することもできる。
【符号の説明】
【００６９】
３ａ        循環量情報検出部
３ｂ        汚れ判定部
３ｃ        報知制御部
３０        風呂アダプタ
３１        浴槽用往路（追焚用循環路）
３２        浴槽用戻路（追焚用循環路）
３３        追焚用循環ポンプ（循環ポンプ）
Ｙ          浴槽
【図１】
2018169069.tif 000003
【図２】
2018169069.tif 000004